(57)【要約】  【課題】  頭に海賊巻きをするのに好適に使用できるタオルを提供する。  【解決手段】  左右方向に横長なタオル地からなるタオル本体２の左右方向中央部を、人の頭部を覆い得る上下幅と左右横方向長さを有する頭部覆い部３に形成し、この頭部覆い部３の左右両端に、頭部覆い部３の上下幅よりも狭い上下幅を有する結び部片４を形成し、この左右の結び部片４の頭部覆い部３との各繋がり付近で結び目となる箇所にそれぞれ平織り部５を設けている。【選択図】      図１
2005177388.tif 000002
【特許請求の範囲】
【請求項１】
左右方向に横長なタオル地からなるタオル本体の左右方向中央部を、人の頭部を覆い得る上下幅と左右横方向長さを有する頭部覆い部に形成し、この頭部覆い部の左右両端に、頭部覆い部の上下幅よりも狭い上下幅を有する結び部片を形成し、この左右両側もしくはその一側の結び部片の前記頭部覆い部との繋がり部付近で結び目となる箇所に平織り部を設けていることを特徴とする、タオル。
【請求項２】
前記結び部片が先端側に向かって上下幅を次第に狭くする翼形状に形成されている、請求項１記載のタオル。
【発明の詳細な説明】
【技術分野】
【０００１】
本発明は、人の頭や首に巻いて結び易く、とくに頭に海賊巻きするのに好適なタオルに関する。
【背景技術】
【０００２】
従来、汗拭き兼用の鉢巻きタオルとして、タオル本体の幅が該タオル本体を幅方向に二乃至三回折畳むことにより人の頭部に鉢巻き可能となる長さであると共に、タオル本体の全長が頭部に一巻きし且つ顔を拭く余裕のある長さにしてなるタオルがある（特許文献１参照）。また、作業者などにおいて、普通のタオルが海賊巻きに使用されることがあった。
【０００３】
【特許文献１】実開昭６４−５６７９１号公報
【発明の開示】
【発明が解決しようとする課題】
【０００４】
しかるに、上記鉢巻きタオルではタオル本体を幅方向に二乃至三回折畳むにしても、その両端部を結ぶとき嵩張って結び難く、結び目が大きいこぶ状になって体裁よく整え難い。また、海賊巻きする場合、普通のタオルでは後頭部を十分に覆うことができず、また結び難く、結び後も解け易かった。
【０００５】
本発明の目的は、頭や首に巻いた後に容易に且つ強く結び付けることができ、とくに頭部に海賊巻きをするのに好適に使用できるタオルを提供することにある。
【課題を解決するための手段】
【０００６】
本発明は、左右方向に横長なタオル地からなるタオル本体の左右方向中央部を、人の頭部を覆い得る上下幅と左右横方向長さを有する頭部覆い部に形成し、この頭部覆い部の左右両端に、頭部覆い部の上下幅よりも狭い上下幅を有する結び部片を形成し、この左右両側もしくはその一側の結び部片の前記頭部覆い部との繋がり部付近で結び目となる箇所に平織り部を設けていることに特徴を有するものである。
【０００７】
この場合において、前記結び部片は先端側に向かって上下幅を次第に狭くする翼形状に形成することができる。
【発明の効果】
【０００８】
日除けや頭髪汚れ防止などの目的で頭に海賊巻きする場合は、タオルの中央の頭部覆い部を頭にかぶり、左右の結び部片を頭部覆い部の後ろ側に回して結ぶ。このとき結び部片は上下幅を狭くした形に形成してあるのみならず、頭部覆い部との繋がり部付近で結び目となる箇所に平織り部を設けているので、その平織り部で細く絞り易くて当該箇所で結び目を作ることで嵩張らずに結び易く、また強く結ぶことができる。また大きい結びこぶをつくることもなく、体裁良く整った結び状態を得ることができる。結び後において平織り部での結び目はタオル地を結んだ場合のような滑りは少ないため強い締め付け状態を確実に保持できる。
【０００９】
首の汗止め、あるいは防寒などに首に巻く場合は、頭部覆い部を上下幅方向に二乃至三回折畳むことにより首に巻き易くなり、巻きつけ後は左右の結び部片を、上記海賊巻きの場合と同様に、平織り部で結び目を作ることで嵩張らずに結び易く、また結び後に不慮に解けることなく強く結ぶことができる。
【００１０】
結び部片は先端側に向かって上下幅を次第に狭くする翼形状に形成しておくと、結び後に結び部片の先端が広がるようなことが少ないため後ろから見ても体裁良い装い状態となる。
【００１１】
尤も、タオル地からなる頭部覆い部は、吸水性、通気性に富み、頭や首に巻いたとき日除けや汗止め機能に優れること、またこのタオルを頭または首から外して手拭きや汗拭きに使用できることは言うまでもない。
【発明を実施するための最良の形態】
【００１２】
本発明の好適な実施形態を図面に基づき説明する。図１は本発明の一実施例を示すタオルの平面図、図２は図１のタオルを海賊巻きした使用状態を正面側から見た斜視図、図３は図１のタオルを海賊巻きした使用状態を後ろ側から見た斜視図である。
【００１３】
図１において、タオル１は、左右方向に横長なタオル本体２、タオル本体２の中央部位に形成された頭部覆い部３、頭部覆い部３の左右両端側に形成された結び部片４、および左右の結び部片４と頭部覆い部３との各繋がり部付近で結び目となる箇所にそれぞれ設けられた平織り部５により構成されている。
【００１４】
タオル本体２は左右方向に横長なタオル地（パイル生地）からなり、この左右方向全長の最大長さは、普通のタオルの左右方向全長よりも長く、例えば１０４ｃｍ前後に設定する。
【００１５】
頭部覆い部３は、上辺３ａと、左右辺３ｂ，３ｃと、下方に向かって凸円弧状の下辺３ｄとで変形四角形状に形成される。上辺３ａと下辺３ｄとの間の上下幅と、左右辺３ｂ，３ｃ間の左右方向長さは人の前頭部、頂頭部、後頭部、および側頭部を覆い得る寸法に設定してある。例えば、上辺３ａは４９ｃｍ程度、左右辺３ｂ、３ｃはそれぞれ２８ｃｍ程度、上下辺３ａ，３ｄ間の最大上下幅は３８ｃｍ程度にする。
【００１６】
結び部片４は、上辺４ａを頭部覆い部３の上辺３ａの延長線上に形成し、下辺４ｂは頭部覆い部３の下辺３ｄの左右端部から上辺４ａに向かって次第に近づける円弧部と直線部で形成することで、先端側に向かって上下幅を次第に狭くした翼形状に形成している。
【００１７】
平織り部５は左右の結び部片４，４の頭部覆い部３との繋がり部付近で結び目となる箇所に所要の左右幅（例えば、１０ｃｍ程度）で上辺４ａと下辺４ｂとの間にわたって形成している。
【００１８】
このように構成されたタオル１は、人の頭に海賊巻きしたり、首に巻いたりすることができる。
【００１９】
海賊巻きするには、図２、図３に示すように、タオル１の中央の頭部覆い部３を頭にかぶり、左右の結び部片４を頭部覆い部３の後ろ側にまわして結ぶが、このとき、上下幅を狭くした形の結び部片４は結び易く、とくに結び部片４の頭部覆い部３との繋がり部付近に設けている平織り部５で結び目を作ることにより嵩張らずに結び易くなり、しかも強く締め付けることができる。また、平織り部５での結び目は大きい結びこぶをつくることがなくて体裁良い結び状態にすることができる。結び後の平織り部５での結び目は滑り難くて強い締め付け状態を確実に保持できる。先端側に向かって次第に上下幅を狭くする翼形状に形成した結び部片４は、結び後にその先端が広がるような不恰好なことがなくて体裁良い海賊巻きの装い状態が得られる。
【００２０】
首に巻く場合は、頭部覆い部３を上下幅方向に二乃至三回折畳むことにより首に巻き易くなり、首巻き後は左右の結び部片４，４を平織り部５で結び目を作ることで嵩張らずに容易にかつ強く結ぶことができ、結び後に不慮に解けることもない。
【００２１】
上記実施例のように平織り部５は、左右の結び部片４，４の頭部覆い部３との各繋がり部付近で結び目となる箇所にそれぞれ設けることが最も嵩張らず、しかもより強く結ぶことができて好ましいが、左右のいずれか一方にのみ設けるものであってもタオル生地をそのまま結ぶ場合よりも嵩張らず強く結ぶことができる。
【図面の簡単な説明】
【００２２】
【図１】本発明の一実施例を示すタオルの平面図である。
【図２】図１のタオルを海賊巻きした使用状態を正面側から見た斜視図である。
【図３】図１のタオルを海賊巻きした使用状態を後ろ側から見た斜視図である。
【符号の説明】
【００２３】
１  タオル
２  タオル本体
３  頭部覆い部
４  結び部片
５  平織り部
【図１】
2005177388.tif 000003
【図２】
2005177388.tif 000004
【図３】
2005177388.tif 000005